(57)【要約】【課題】イメージセンサモジュールの固体撮像素子とレンズの間の距離が常に所定の距離を隔てて組立てられる構造となるイメージセンサモジュールを提供すること。【解決手段】撮像素子１１が固着された基板１２と、この基板上に固着され、前記撮像素子上方に開口２０が形成された天井板を有する箱型のレンズホルダ１５と、このレンズホルダの前記天井板開口部に設けられたレンズ台座１７と、このレンズ台座に設けられたレンズ１８と、前記レンズホルダ１５の天井板から前記撮像素子方向に突出形成された突起体１６とを備え、この突起を前記撮像素子表面に接触させることにより、前記レンズと前記撮像素子の距離を一定の値に設定することを特徴とするイメージセンサモジュール。【選択図】  図１
2004173031.tif 000002
【特許請求の範囲】
【請求項１】
撮像素子が固着された基板と、
この基板上に固着され、前記撮像素子上方に開口が形成された天井板を有する箱型のレンズホルダと、
このレンズホルダの前記天井板開口部に設けられたレンズ台座と、
このレンズ台座に設けられたレンズと、
前記レンズホルダの天井板から前記撮像素子方向に突出形成された突起体とを備え、
この突起を前記撮像素子表面に接触させることにより、前記レンズと前記撮像素子の距離を一定の値に設定することを特徴とするイメージセンサモジュール。
【請求項２】
前記レンズと前記撮像素子が設定する一定の距離は、前記レンズが前記撮像素子に焦点を結象をする距離であることを特徴とする請求項１記載のイメージセンサモジュール。
【請求項３】
前記レンズと前記撮像素子が設定する一定の距離は、前記レンズの焦点距離からレンズ厚さの１／２の距離を減じた距離であることを特徴とする請求項１記載のイメージセンサモジュール。
【発明の詳細な説明】
【０００１】
【発明の属する技術分野】
本発明は、イメージセンサモジュールの構造、特にレンズホルダの構造に関する。
【０００２】
【従来の技術】
従来のエリアイメージセンサモジュールは、図３に示すように、固体撮像素子３１が基板３２に接着材３３ａより固定されて、この固体撮像素子３１の上方に、開口部４０を有して、これに赤外線カット乃至はオプティカルローパスのフィルタ３４が接着されたレンズホルダ３５が、同じく基板３２に接着材３３ｂにより取り付けられる。このレンズホルダ３５の開口部４０のフィルタ３４の反対側の凹部には、スペーサ３７を備えてレンズ３８が挿入され、レンズ高さ調整部品３９により固定される構造を有する。
【０００３】
上述の従来のエリアイメージセンサモジュール３０の製造工程においては、固体撮像素子３１の接着材３３ａ、及びレンズホルダ３５の接着材３３ｂの厚みのばらつきが原因で生じるフォーカスずれを補正するために、スペーサ３７及びレンズ高さ調整部品３９によるフォーカス調整を行なうフォーカス補正工程を実施している。
【０００４】
【発明が解決しようとする課題】
上に述べた従来のエリアイメージセンサモジュールの構造では、フォーカス調整を要し、そのためのモジュールの部品構造の複雑化と部品点数の増加と共に、製造工程ではフォーカス補正作業の実施で加工費が嵩み、製造コストの軽減に支障が出る問題点があった。
【０００５】
この発明は上記の問題点に鑑みてなされたもので、エリアイメージセンサモジュールの固体撮像素子とレンズの間の距離が常に所定の距離を隔てて組立てられる構造となるイメージセンサモジュールを提供することを目的とする。
【０００６】
【課題を解決するための手段】
本発明のイメージセンサモジュールは、撮像素子が固着された基板と、この基板上に固着され、前記撮像素子上方に開口が形成された天井板を有するは小型のレンズホルダと、このレンズホルダの前記天井板開口部に設けられたレンズ台座と、このレンズ台座に設けられたレンズと、前記レンズホルダの天井板から前記撮像素子方向に突出形成された突起体とを備え、この突起を前記撮像素子表面に接触させることにより、前記レンズと前記撮像素子の距離を一定の値に設定することを特徴とするものである。
【０００７】
また、本発明のイメージセンサモジュールは、前記レンズと前記撮像素子が設定する一定の距離は、前記レンズが前記撮像素子に焦点を結象をする距離であることを特徴とするものである。
【０００８】
また、本発明のイメージセンサモジュールは、前記レンズと前記撮像素子が設定する一定の距離は、前記レンズの焦点距離からレンズ厚さの１／２の距離を減じた距離であることを特徴とするものである。
【０００９】
【発明の実施の形態】
以下、本発明の実施形態を図面により詳細に説明する。
【００１０】
図１は、本発明のエリアイメージセンサモジュールの一実施形態を示す中央部分での断面図である。
【００１１】
本実施形態は、固体撮像素子１１が基板１２に接着材１３ａより固定される。さらに、この固体撮像素子１１の上方に中心軸を合わせた開口部２０が形成された天井板部と、この天井板から前記固体撮像素子方向に突出形成した複数、好ましくは、平行面を形成するために３個のピン状突起体１６と、同じく天井板のこのピン状突起体１６と反対の側にレンズ１８を格納するレンズ台座１７とを有するレンズホルダ１５が、ピン状突起体１６の先端が固体撮像素子１１の表面に接するように接着剤１３ｂにより同じく基板１２に固定される。
【００１２】
レンズホルダ１５のレンズ台座１７に、レンズ１８が格納され、レンズ固定部品１９によりレンズ台座方向に固定される。また、レンズホルダ１５の天井板の開口部２０に赤外線カットまたはオプティカルローパスのフィルタ１４が接着される。
【００１３】
さらに、図２のレンズホルダ１５の断面図に示すように、レンズホルダ１５にて形成したレンズ台座部１７のレンズ１８を格納する側の面から各ピン状突起体１６ａ〜１６ｄの先端までの距離Ｌは、固体撮像素子１１にレンズ１８による最良の結像が得られる予め設定されたフォーカシング距離となるように形成する。例えば、このフォーカシング距離は、装填されるレンズ１８の焦点距離ｆからレンズ厚さｄの１／２を減じた距離であり、レンズ１８及び固体撮像素子１１の特性により予め決定された所定の距離として形成される。
【００１４】
上述の構成・構造を有する本実施形態では、レンズホルダ１５のレンズ台座部１７のレンズ１８を格納する側の面からピン状突起体体１６の先端までの距離が、レンズ１８及び固体撮像素子１１の特性より決められる所定の距離に設定され、ピン状突起体１６の先端が固体撮像素子１１の表面に押し当てられて基板１２に固定されているので、固体撮像素子１１は、レンズ台座部１７の上面に密着されたレンズ１８から所定の距離、すなわち最良の結像が得られる距離に必ず配置される。さらに、格納されたレンズ１８が浮き上がるなどの所定の距離からずれることの無いように、レンズ固定部品１９がレンズ１８をレンズ台座の方向に固定して、確実に所定の距離を維持する。
【００１５】
したがって、本実施形態では、固体撮像素子１１とレンズホルダ１５の中心軸を合わせて、ピン状突起体１６の先端部が固体撮像素子に突き当てられ、固体撮像素子１１を固着した基板１２に、レンズホルダ１５を接着剤１６ｂにより固定する。さらに、この基板１２に固定したレンズホルダ１５に、レンズ１８を挿入して、レンズ固定部品１９によりレンズ台座部１７にレンズ１８を密着させるだけで、レンズのフォーカス補正行程を省略して、レンズ１８の固体撮像素子１１に対する距離が、所定の位置に配されて設置できる。
【００１６】
【発明の効果】
以上、説明したように本発明によるイメージセンサモジュールは、そのレンズホルダに複数のピン状突起体を設けて、このピン状突起体の先端から所定の距離を隔ててレンズ台座が設けられる。この凸状ピン体を固体撮像素子に突き当てて基板に固定し、さらにレンズ台座にレンズが格納固定されるので、このイメージセンサモジュールの固体撮像素子とレンズは必ず所定の距離を隔てて組立てられる。
【００１７】
したがって、この所定の距離として、例えば焦点距離のような最良の結象が得られる距離を設定する本実施形態では、イメージセンサモジュールの製造工程における、スペーサ等のフォーカス補正のための部品及び冶具が不要となり、さらにはフォーカス補正作業の工程を省略できるので、材料費及び加工費の削減が出来て、製作コストの低減が可能となる。
【図面の簡単な説明】
【図１】本発明の一実施形態の構造の断面を示す概念図。
【図２】本発明の一実施形態に使用されるレンズホルダの断面と底面を示す概念図。
【図３】従来のエリアイメージセンサの構造を示す断面図。
【符号の説明】
１０・・・イメージセンサモジュール、
１１、３１・・・固体撮像素子、
１２、３２・・・基板、
１３ａ、１３ｂ、３３ａ、３３ｂ・・・接着剤、
１４、３４・・・フィルター、
１５・・・レンズホルダ、
１６・・・ピン状突起体、
１７・・・レンズ台座部、
１８、３８・・・レンズ、
１９・・・レンズ固定部品、
３０・・・従来のエリアイメージセンサモジュール、
３５・・・レンズホルダ、
３７・・・スペーサ、
３９・・・レンズ高さ調整部品。
【図１】
2004173031.tif 000003
【図２】
2004173031.tif 000004
【図３】
2004173031.tif 000005